(57)【要約】【課題】映像信号の入力元及び出力先に関する選択を行うことができ、複数の間で映像信号を共有し得る表示装置、映像信号共有方法、表示システム、及び信号処理装置の提供。【解決手段】情報処理装置１０から映像に係るバス信号を受けるためのＰＣＭＣＩＡバス端子２１と、アナログＲＧＢ入力端子２６と、アナログＲＧＢ出力端子２５とを備え、切替器２４にてアナログＲＧＢ出力端子２５から出力すべき映像信号の入力元を、ＰＣＭＣＩＡバス端子２１とアナログＲＧＢ入力端子２６とから選択する構成としている。【選択図】　　　図４
2004078044.tif 000002
【特許請求の範囲】
【請求項１】
映像信号生成手段と、前記映像信号生成手段にて生成された映像信号に基づいて映像を表示する表示手段とを備える表示装置において、
映像信号入力端子と、映像信号出力端子と、前記映像信号生成手段及び前記映像信号入力端子へ接続されており、前記表示手段及び前記映像信号出力端子に対して各別に映像信号を送出する第１送出手段及び第２送出手段と、前記第１及び第２送出手段へ入力すべき映像信号の入力元に関する選択情報を受付ける受付手段とを備え、前記第１及び第２送出手段は、前記受付手段にて受付けた選択情報に基づいて、映像信号の入力元を前記映像信号生成手段又は前記映像信号入力端子から選択する手段を備えることを特徴とする表示装置。
【請求項２】
前記選択情報は、前記第１送出手段に対する映像信号の入力元として前記映像信号生成手段を選択し、前記第２送出手段に対する映像信号の入力元として前記映像信号入力端子を選択すべき旨の情報を含むことを特徴とする請求項１に記載の表示装置。
【請求項３】
前記表示手段にて表示すべき映像の表示解像度を変更する手段を更に備えることを特徴とする請求項１又は請求項２に記載の表示装置。
【請求項４】
請求項１乃至請求項３に記載した複数の表示装置を、互いの映像信号入力端子及び映像信号出力端子にて接続し、一の表示装置から他の表示装置へ映像信号を出力して、複数の表示装置間で映像信号を共有することを特徴とする映像信号共有方法。
【請求項５】
映像信号生成手段、及び該映像信号生成手段から送出された映像信号に基づき映像を表示する表示手段を備える表示装置と、該表示装置への接続を可能になしてある信号処理装置とを備える表示システムにおいて、
前記信号処理装置は、映像信号入力端子と、映像信号出力端子と、前記映像信号入力端子からの映像信号を接続された表示装置の表示手段へ送出する第１送出手段と、前記映像信号入力端子又は前記表示装置の映像信号生成手段からの映像信号を前記映像信号出力端子へ送出する第２送出手段とを備え、前記表示装置は、前記表示手段及び前記信号処理装置の第２送出手段へ入力すべき映像信号の入力元に関する選択情報を受付ける受付手段と、該受付手段にて受付けた選択情報を前記信号処理装置へ出力する手段とを備え、前記表示装置は、前記選択情報に基づき前記表示手段にて表示すべき映像信号の入力元を選択すべくなしてあり、前記信号処理装置は、前記選択情報に基づき前記第２送出手段へ入力すべき映像信号の入力元を選択すべくなしてあることを特徴とする表示システム。
【請求項６】
前記選択情報は、前記表示手段に対する映像信号の入力元として前記映像信号生成手段を選択し、前記第２送出手段に対する映像信号の入力元として前記映像信号入力端子を選択すべき旨の情報を含むことを特徴とする請求項５に記載の表示システム。
【請求項７】
前記表示装置は、前記表示手段にて表示すべき映像信号の表示解像度を変更する手段を更に備えることを特徴とする請求項５又は請求項６に記載の表示システム。
【請求項８】
前記信号処理装置は、ＰＣＭＣＩＡカード又はＰＣＩボードであることを特徴とする請求項５乃至請求項７の何れかに記載の表示システム。
【請求項９】
表示装置へ接続可能になしてあり、映像信号入力端子と、映像信号出力端子と、前記映像信号入力端子からの映像信号を接続された表示装置へ送出する第１送出手段と、前記映像信号入力端子又は前記表示装置からの映像信号を前記映像信号出力端子へ送出する第２送出手段と、前記第２送出手段へ入力すべき映像信号の入力元に関する選択情報を受付ける受付手段と、該受付手段にて受付けた選択情報に基づき前記第２送出手段へ入力すべき映像信号の入力元を選択する手段とを備えることを特徴とする信号処理装置。
【発明の詳細な説明】
【０００１】
【発明の属する技術分野】
本発明は、映像信号の共有化が可能であり、表示すべき映像信号及び外部へ送出すべき映像信号の選択が可能な表示装置、映像信号共有方法、表示システム、及び信号処理装置に関する。
【０００２】
【従来の技術】
ノート型のパーソナルコンピュータの普及に伴い、会議等においてそのような情報処理装置を持ち込み、画像又は映像に関するデータを会議の出席者に提示するケースが増えてきている。このとき、従来ではプロジェクタを用意し、情報処理装置をプロジェクタに接続して、情報処理装置から前記データを画像信号又は映像信号としてプロジェクタへ出力し、プロジェクタにより画像又は映像をスクリーンに映写することが行われていた。
【０００３】
【発明が解決しようとする課題】
しかしながら、プロジェクタを利用して情報処理装置の画像データ及び映像データを会議の出席者に提示する場合、全員が視線を同じ方向に向ける必要が生じ、お互いの顔を見ながら行う会議等では違和感が持たれていた。
【０００４】
また、複数の出席者がそれぞれ情報処理装置を持込み、プロジェクタを利用してプレゼンテーションを行う場合、発表者が変わる度にプロジェクタへの接続を繋ぎ直す必要があり、煩わしさを感じることが問題となっていた。
【０００５】
本発明は斯かる事情に鑑みてなされたものであり、表示装置へ映像信号を送出する第１送出手段、及び映像信号出力端子へ映像信号を送出する第２送出手段へ入力すべき映像信号の入力元に関する選択情報を受付ける受付手段を備え、前記第１及び第２送出手段は、受付けた選択情報に基づいて、映像信号の入力元を映像信号生成手段又は映像信号入力端子から選択する構成とすることにより、複数の接続が容易であり、映像信号を共有して表示し得る表示装置、映像信号共有方法、表示システム、及び信号処理装置を提供することを目的とする。
【０００６】
本発明の他の目的は、選択情報として、第１送出手段に対する映像信号の入力元として映像信号生成手段を選択し、第２送出手段に対する映像信号の入力元として映像信号入力端子を選択すべき旨の情報を含むことにより、会議等での使用性に優れる表示装置及び表示システムを提供することにある。
【０００７】
本発明の更に他の目的は、表示すべき映像の表示解像度を変更する手段を備えることにより会議等での使用性に優れる表示装置及び表示システムを提供することにある。
【０００８】
【課題を解決するための手段】
第１発明に係る表示装置は、映像信号生成手段と、前記映像信号生成手段にて生成された映像信号に基づいて映像を表示する表示手段とを備える表示装置において、映像信号入力端子と、映像信号出力端子と、前記映像信号生成手段及び前記映像信号入力端子へ接続されており、前記表示手段及び前記映像信号出力端子に対して各別に映像信号を送出する第１送出手段及び第２送出手段と、前記第１及び第２送出手段へ入力すべき映像信号の入力元に関する選択情報を受付ける受付手段とを備え、前記第１及び第２送出手段は、前記受付手段にて受付けた選択情報に基づいて、映像信号の入力元を前記映像信号生成手段又は前記映像信号入力端子から選択する手段を備えることを特徴とする。
【０００９】
第１発明にあっては、表示手段へ送出すべき映像信号の入力元として映像信号生成手段又は映像信号入力端子を選択することができ、また映像信号出力端子を通じて外部へ送出すべき映像信号の入力元として映像信号生成手段又は映像信号入力端子を選択することができる。したがって、一台の表示装置で映像を表示することもでき、外部へ前記映像に係る映像信号を送出できるため、複数の表示装置にて映像信号の共有化が可能となり、会議等における使用性に優れる。また、表示手段で表示する映像信号の入力元を自身の映像信号生成手段又は映像信号入力端子から選択できるため、複数の表示装置を接続している場合、何れの表示装置も映像信号の送出元（ホスト）となることができる。しかも、その選択を変更することで、配線を繋ぎかえることなくホスト役の表示装置を変更することができる。
【００１０】
第２発明に係る表示装置は、第１発明に係る表示装置において、前記選択情報は、前記第１送出手段に対する映像信号の入力元として前記映像信号生成手段を選択し、前記第２送出手段に対する映像信号の入力元として前記映像信号入力端子を選択すべき旨の情報を含むことを特徴とする。
【００１１】
第２発明にあっては、自身の映像信号生成手段で生成した映像信号に基づいて映像を表示できるとともに、外部から入力された映像信号の中継を行うことができる。したがって、映像信号の中継を途中で中断させることなく、自機の表示装置を利用することができるため、例えば、映像信号の中継を継続しながら、プレゼンテーションの準備を行うことができる。
【００１２】
第３発明に係る表示装置は、第１発明又は第２発明に係る表示装置において、前記表示手段にて表示すべき映像の表示解像度を変更する手段を更に備えることを特徴とする。
【００１３】
第３発明にあっては、表示解像度を変更する手段を備えているため、接続した表示装置によって表示解像度が異なる場合であっても、表示解像度を調整して映像を表示することができる。
【００１４】
第４発明に係る映像信号共有方法は、第１発明乃至第３発明に記載した複数の表示装置を、互いの映像信号入力端子及び映像信号出力端子にて接続し、一の表示装置から他の表示装置へ映像信号を出力して、複数の表示装置間で映像信号を共有することを特徴とする。
【００１５】
第４発明にあっては、互いの映像信号入力端子及び映像信号出力端子にて接続して、複数の表示装置間で映像信号を共有するため、表示装置を直列型に接続することもでき、またリング型に接続することもできる。従って、表示装置の配置を自由に設定できるため、会議等における使用性に優れる。
【００１６】
第５発明に係る表示システムは、映像信号生成手段、及び該映像信号生成手段から送出された映像信号に基づき映像を表示する表示手段を備える表示装置と、該表示装置への接続を可能になしてある信号処理装置とを備える表示システムにおいて、前記信号処理装置は、映像信号入力端子と、映像信号出力端子と、前記映像信号入力端子からの映像信号を接続された表示装置の表示手段へ送出する第１送出手段と、前記映像信号入力端子又は前記表示装置の映像信号生成手段からの映像信号を前記映像信号出力端子へ送出する第２送出手段とを備え、前記表示装置は、前記表示手段及び前記信号処理装置の第２送出手段へ入力すべき映像信号の入力元に関する選択情報を受付ける受付手段と、該受付手段にて受付けた選択情報を前記信号処理装置へ出力する手段とを備え、前記表示装置は、前記選択情報に基づき前記表示手段にて表示すべき映像信号の入力元を選択すべくなしてあり、前記信号処理装置は、前記選択情報に基づき前記第２送出手段へ入力すべき映像信号の入力元を選択すべくなしてあることを特徴とする。
【００１７】
第５発明にあっては、表示装置は表示手段にて表示すべき映像信号の入力元を選択することができ、信号処理装置は外部へ送出すべき映像信号の入力元を選択することができる。したがって、前記信号処理装置が接続された表示装置で映像を表示することもでき、外部へ前記映像に係る映像信号を送出できるため、複数の表示装置にて映像信号の共有化が可能となり、会議等における使用性に優れる。また、表示手段で表示する映像信号の入力元を自身の映像信号生成手段又は映像信号入力端子から選択できるため、複数の表示装置を接続している場合、何れの表示装置も映像信号の送出元（ホスト）となることができる。しかも、その選択を変更することで、配線を繋ぎかえることなくホスト役の表示装置を変更することができる。
【００１８】
第６発明に係る表示システムは、第５発明に係る表示システムにおいて、前記選択情報は、前記表示手段に対する映像信号の入力元として前記映像信号生成手段を選択し、前記第２送出手段に対する映像信号の入力元として前記映像信号入力端子を選択すべき旨の情報を含むことを特徴とする。
【００１９】
第６発明にあっては、自身の映像信号生成手段で生成した映像信号に基づいて映像を表示できるとともに、外部から入力された映像信号の中継を行うことができる。したがって、映像信号の中継を途中で中断させることなく、自機の表示装置を利用することができるため、例えば、映像信号の中継を継続しながら、プレゼンテーションの準備を行うことができる。
【００２０】
第７発明に係る表示システムは、第５発明又は第６発明に係る表示システムにおいて、前記表示装置は、前記表示手段にて表示すべき映像信号の表示解像度を変更する手段を更に備えることを特徴とする。
【００２１】
第７発明にあっては、表示解像度を変更する手段を備えているため、接続した表示装置によって表示解像度が異なる場合であっても、表示解像度を調整して映像を表示することができる。
【００２２】
第８発明に係る表示システムは、第５発明乃至第７発明の何れかの表示システムにおいて、前記信号処理装置は、ＰＣＭＣＩＡカード又はＰＣＩボードであることを特徴とする。
【００２３】
第８発明にあっては、信号処理装置がＰＣＭＣＩＡカード又はＰＣＩボードであるため、表示装置側にＰＣＭＣＩＡカード用のスロット又はＰＣＩボード用のスロットを設けることによって、複数の表示装置を直列型又はリング型に容易に接続することができる。特にＰＣＭＣＩＡカード用のスロットを備えていることが多いノート型のパーソナルコンピュータを用いた場合、本表示システムとしての適用が容易である。
【００２４】
第９発明に係る信号処理装置は、表示装置へ接続可能になしてあり、映像信号入力端子と、映像信号出力端子と、前記映像信号入力端子からの映像信号を接続された表示装置へ送出する第１送出手段と、前記映像信号入力端子又は前記表示装置からの映像信号を前記映像信号出力端子へ送出する第２送出手段と、前記第２送出手段へ入力すべき映像信号の入力元に関する選択情報を受付ける受付手段と、該受付手段にて受付けた選択情報に基づき前記第２送出手段へ入力すべき映像信号の入力元を選択する手段とを備えることを特徴とする。
【００２５】
第９発明にあっては、表示装置へ接続することができ、映像信号出力端子から出力すべき映像信号を、表示装置から入力された映像信号と映像信号入力端子に入力された外部からの映像信号とから選択することができる。したがって、信号処理装置を表示装置に接続した場合、複数の表示装置で映像信号を共有する表示システムにて利用可能となる。
【００２６】
【発明の実施の形態】
以下、本発明をその実施の形態を示す図面に基づいて具体的に説明する。
実施の形態１．
図１は本発明に係る表示システムの構成を説明する模式図である。図中１０，１０，…は、本発明の表示装置を実現する情報処理装置であり、具体的にはノート型のパーソナルコンピュータである。各情報処理装置１０，１０，…は映像信号ケーブル１を介して互いに直列に接続されている。
接続された情報処理装置１０，１０，…のうち１台がホスト（図１では右端の情報処理装置１０）となって、自身のマザーボード（図４参照）にて映像信号を生成して表示するとともに、映像信号ケーブル１を介して接続された下流側の情報処理装置１０へ映像信号を送出する。ホストの情報処理装置１０から送出された映像信号が下流側の情報処置装置１０に入力された場合、当該情報処理装置１０は前記映像信号に基づく映像を表示するとともに、更に下流側に接続された情報処理装置１０へ映像信号を送出する。
ホスト以外の情報処理装置１０では、このように上流側に接続された情報処理装置１０からの映像信号を受けて映像を表示するとともに、前記映像信号を下流側に接続された情報処理装置１０へ送出するようにしている。そのため、ホストで生成された映像信号を各情報処理装置１０，１０，…の間で共有することが可能となる。
【００２７】
なお、各情報処理装置１０，１０，…の接続は、ＰＣＭＣＩＡカード用のスロットを情報処理装置１０に搭載して、映像信号の入力端子及び出力端子を備えるＰＣＭＣＩＡカードを介して接続する形態であってもよく、また、情報処理装置１０に映像信号の入力端子及び出力端子を設けて接続する形態であってもよい。
【００２８】
図２は本表示システムにおける情報処理装置１０の他の接続例を示す模式図である。情報処理装置１０が映像信号に対する入力端子と出力端子とを備えている場合、又は映像信号に対する入力端子及び出力端子を備えたＰＣＭＣＩＡカードを接続可能にしている場合、自身の上流側と下流側とに他の情報処理装置１０，１０を接続することができるため、図２に示した如くリング型の表示システムを構築することができる。
【００２９】
本接続例においても、接続された情報処理装置１０，１０，…のうち１台がホストとなり得る。ホストとなった情報処理装置１０では、そのマザーボードにて映像信号を生成するとともに、下流側の情報処理装置１０へ映像信号を送出する。そして、ホスト以外の各情報処理装置１０，１０，…は、上流側の情報処理装置１０から入力された映像信号に基づいて映像を表示するとともに、下流側の情報処理装置１０へ前記映像信号を送出するため、各情報処理装置１０，１０，…で映像信号を共有し得る構成となっている。
【００３０】
各情報処理装置１０，１０，…がホストとなるか否かの選択は、映像信号の入力元及び送出先に係る選択情報を受付けることによって行う。すなわち、情報処理装置１０は、映像信号の入出力に関して以下で説明する３つのモードを選択できるようにしており、この中から一のモードを選択した場合にホストとなるように設定されている。
【００３１】
図３は映像信号の入出力に関する３つのモードを説明する模式図である。
モード１では、映像信号の入力元として自分自身のマザーボード（自機）を選択し、映像信号の送出先として自分自身のモニタモジュール（自機）、及び接続された他の情報処理装置１０（他機）を選択する。すなわち、モード１が選択された情報処理装置１０では、自身のマザーボードにて生成された映像信号を表示するとともに、当該映像信号を外部へ送出するようにしており、ホストとしての役割を果たす。
【００３２】
モード２では、映像信号の入力元として他機を選択し、映像信号の送出先として自機及び他機を選択する。すなわち、モード２が選択された情報処理装置１０では、接続された他の情報処理装置１０からの映像信号を受けて映像を表示するとともに、外部へ送出するようにしており、表示システムにおける端末的な役割と中継的な役割とを果たす。
【００３３】
モード３では、映像信号の入力元として自機及び他機を選択し、自機により入力された映像信号の送出先として自機を選択し、他機から入力された映像信号の送出先として他機を選択する。すなわち、モード３が選択された情報処理装置１０では、自身のマザーボードで生成した映像信号に基づいて映像を自身のモニタモジュールにて表示するとともに、接続された情報処理装置１０から受けた映像信号をそのまま外部へ送出するようにしており、情報処理装置１０の一般的な用途として使用でき、更に映像信号の中継的な役割を果たす。
【００３４】
なお、情報処理装置１０で設定可能なモードとしては、前述した３つのモードに限定されるものではなく、他のモードを設定するようにしてもよい。例えば、自機で生成した映像信号を自身のモニタモジュールで表示せずに外部へのみ送出するモード、外部から受けた映像信号を自身のモニタモジュールで表示せずに外部へのみ送出するモード等を設定してもよい。
【００３５】
図４は情報処理装置１０及び該情報処理装置１０に接続されるＰＣＭＣＩＡカードの内部構成を示すブロック図である。情報処理装置１０は、マザーボード１１、モニタモジュール１２、及びＰＣＭＣＩＡバス端子１３を備えている。マザーボード１１にはＣＰＵ、ＲＯＭ、ＲＡＭ等が搭載されており（不図示）、モニタモジュール１２は液晶パネル、液晶パネル制御信号生成部、バックライト等を備えている（不図示）。マザーボード１１に搭載されたＣＰＵは、ＲＯＭに格納された制御プログラムを実行することで映像信号を生成し、生成した映像信号をモニタモジュール１２へ送出するようにしている。モニタモジュール１２では、マザーボード１１から送出された映像信号を液晶パネルの制御用信号へと変換し、変換した制御用信号を用いて液晶パネルを駆動するようにしている。
【００３６】
更に、マザーボード１１は必要に応じて（例えば、モード１が選択されている場合）、映像信号をＰＣＭＣＩＡバス規格に準じたバス信号に変換し、ＰＣＭＣＩＡバス端子１３を通じてＰＣＭＣＩＡカード２０へ送出する。
【００３７】
ＰＣＭＣＩＡカード２０は、情報処理装置１０から送出されるバス信号を受けるため、ＰＣＭＣＩＡバス端子２１を備えている。ＰＣＭＣＩＡバス端子２１に入力されたバス信号は、映像信号処理回路２２の内部に備えられた映像信号出力回路２２ａに入力され、デジタル信号による映像信号として出力される。映像信号出力回路２２ａから出力された映像信号はＤＡコンバータ２３によりアナログ信号に変換され、切替器２４に入力される。切替器２４には、後述するＲＧＢ分配器２７からの映像信号も入力されるようになっており、選択されたモードの種類に応じて映像信号の入力元に対する切替処理を行う。すなわち、前述のモード１が選択されている場合、映像信号の入力元としてＤＡコンバータ２３を選択し、ＤＡコンバータ２３からの映像信号をアナログＲＧＢ出力端子２５へ送出する。また、モード２又はモード３が選択されている場合、映像信号の入力元としてＲＧＢ分配器２７を選択し、ＲＧＢ分配器２７からの映像信号をアナログＲＧＢ出力端子２５へ送出する。
そして、アナログＲＧＢ出力端子２５に入力された映像信号は、アナログＲＧＢ信号として外部へ出力される。
【００３８】
また、ＰＣＭＣＩＡカード２０はアナログＲＧＢ入力端子２６を備えており、外部からの映像信号（アナログＲＧＢ信号）が入力されるようになっている。アナログＲＧＢ入力端子２６に入力された映像信号はＲＧＢ分配器２７に送出され、ＲＧＢ分配器２７は入力された映像信号を前述の切替器２４及びＡＤコンバータ２８の双方へ送出する。
映像信号はＡＤコンバータ２８によりデジタル信号に変換された後、映像信号処理回路２２の内部に備えられた映像信号取込回路２２ｂに入力される。映像信号取込回路２２ｂでは、入力されたデジタル信号による映像信号をＰＣＭＣＩＡ規格に準じたバス信号へと変換し、ＰＣＭＣＩＡバス端子２１を通じて外部へ出力するようにしている。
なお、前記映像信号取込回路２２ｂには解像度変換機能を持たせてもよい。
【００３９】
前述のＰＣＭＣＩＡカード２０では、外部に接続された情報処理装置１０，１０との間でアナログＲＧＢ信号による映像信号を送受する形態であったが、ＴＭＤＳ（Ｔｒａｎｓｉｔｉｏｎ　Ｍｉｎｉｍｉｚｅｄ　Ｄｉｆｆｅｒｅｎｔｉａｌ　Ｓｉｇｎａｌｉｎｇ）、ＬＶＤＳ（Ｌｏｗ　Ｖｏｌｔａｇｅ　Ｄｉｆｆｅｒｅｎｔｉｏａｌ　Ｓｉｇｎａｌｉｎｇ）等の差動信号による映像信号を送受するようにしてもよい。
図５はＰＣＭＣＩＡカード２０の変形例を示すブロック図である。ＰＣＭＣＩＡカード３０は、ＴＭＤＳによる映像信号の入出力を行うために、ＴＭＤＳ入力端子３６及びＴＭＤＳ出力端子３５を備えている。ＴＭＤＳ入力端子３６に入力されたＴＭＤＳはＴＭＤＳ分配器３７に送出され、ＴＭＤＳ分配器３７は入力されたＴＭＤＳを切替器３４及びＴＭＤＳレシーバ３８の双方へ送出する。
ＴＭＤＳレシーバ３８に入力されたＴＭＤＳは、映像信号処理回路３２の内部に備えられた映像信号取込回路３２ｂに入力される。映像信号取込回路３２ｂでは、入力されたＴＭＤＳによる映像信号をＰＣＭＣＩＡ規格に準じたバス信号へと変換し、ＰＣＭＣＩＡバス端子３１を通じて外部へ出力するようにしている。
なお、前記映像信号取込回路３２ｂには解像度変換機能を持たせてもよい。
【００４０】
一方、ＰＣＭＣＩＡバス端子３１に入力されたバス信号は、映像信号処理回路３２の内部に備えられた映像信号出力回路３２ａに入力される。映像信号出力回路３２ａでは、入力されたバス信号に基づき映像信号を生成して出力する。映像信号出力回路３２ａから出力された映像信号は、ＴＭＤＳドライバ３３に入力されてＴＭＤＳが生成される。ＴＭＤＳドライバ３３は、生成したＴＭＤＳを切替器３４へ送出する。
切替器３４は、選択されたモードの種類に応じて映像信号の入力元に対する切替処理を行い、ＴＭＤＳの入力元としてＴＭＤＳドライバ３３又はＴＭＤＳ分配器３７を選択する。切替器３４は、選択した入力元からのＴＭＤＳをＴＭＤＳ出力端子３５へ出力するようにしている。
【００４１】
なお、ＴＭＤＳの代わりにＬＶＤＳを入出力するようにしても良い。その場合、ＰＣＭＣＩＡカード３０が備えるＴＭＤＳドライバ３３、ＴＭＤＳ出力端子３５、ＴＭＤＳ入力端子３６、ＴＭＤＳ分配器３７、及びＴＭＤＳレシーバ３８は、それぞれＬＶＤＳドライバ、ＬＶＤＳ出力端子、ＬＶＤＳ入力端子、ＬＶＤＳ分配器、及びＬＶＤＳレシーバとなる。
【００４２】
また、ＰＣＭＣＩＡカード３０が、その拡張仕様に対応したＺＶポート（ＺＶ：　Ｚｏｏｍｅｄ　Ｖｉｄｅｏ）を備えるものであってもよい。その場合、ＣＰＵに負荷を与えることなくビデオデバイス間と映像信号を直接送受できるようにしてもよいことは言うまでもないことである。
【００４３】
図６は情報処理装置１０及びＰＣＭＣＩＡカード２０の外観斜視図である。情報処理装置１０は、ＰＣＭＣＩＡバス端子１３を具備したカードスロット１５を備えており、該カードスロット１５にＰＣＭＣＩＡカード２０を装着することによって、両者でバス信号の受け渡しが可能となる。ＰＣＭＣＩＡカード２０は、その一端面にアナログＲＧＢ出力端子２５及びアナログＲＧＢ入力端子２６（又は、ＴＭＤＳ出力端子３５及びＴＭＤＳ入力端子３６）を備えており、夫々に映像信号ケーブル１，１の端部に設けられたコネクタ１ａ，１ａを利用して接続できるようにしている。
なお、本実施の形態では、ＰＣＭＣＩＡカード２０を利用して映像信号の入出力を行うようにしたが、ＰＣＭＣＩＡカード２０の代わりにＰＣＩボードを利用して映像信号の入出力を行うようにしてもよいことは勿論である。
【００４４】
実施の形態２．
実施の形態１では、ＰＣＭＣＩＡカード２０，３０の内部にて映像信号を分配する処理、及び外部へ出力すべき映像信号の入力元を切替える処理を行うようにしたが、情報処理装置の内部にて前述の処理を行うようにしても良い。その場合、映像信号に対する入力端子と出力端子とを情報処理装置が備えている必要があるが、カードスロットを備えている必要がなくなる。以下では、情報処理装置の内部にて映像信号の分配処理、及び映像信号の入力元に対する切替処理を実行する形態について説明する。
【００４５】
図７は本実施の形態に係る情報処理装置の内部構成を説明するブロック図である。情報処理装置１００は、ＲＧＢ入力端子１０１、ＲＧＢ出力端子１０２、マザーボード１１０、信号切替回路１２０、及びモニタモジュール１５０を備えている。
【００４６】
マザーボード１１０はＣＰＵ１１１を備え、該ＣＰＵ１１１にはバス１１２を介してＲＯＭ１１３、ＲＡＭ１１４、映像信号生成回路１１５が接続されいる。更に、マザーボード１１０には、キーボード、各種スイッチ等からなる操作部１６０、ハードディスクのような内部記憶装置１７０、ＣＤ−ＲＯＭ等の記録媒体に格納された各種のデータを読取るＣＤ−ＲＯＭドライブ等の補助記憶装置１８０が接続されている。
【００４７】
ＣＰＵ１１１は、ＲＯＭ１１３に格納された各種の制御プログラムを読込んで実行することにより前述の各種ハードウェアの制御を行う。また、前記制御プログラムの実行中に生じた各種のデータはＲＡＭ１１４に一時的に記憶される。
映像信号生成回路１１５は、ＣＰＵ１１１の指示に従い映像信号を生成し、信号切替回路１２０へ送出する。また、内部記憶装置１７０に予め記憶されている映像データ、及び補助記憶装置１８０によって読取られた映像データに基づいて、映像信号生成回路１１５が映像信号を生成する形態であってもよい。
操作部１６０では、映像信号の入力元及び送出先に関するモードの選択を受付けるようにしており、ＣＰＵ１１１は、操作部１６０を通じて受付けたモードに応じて信号切替回路１２０の制御を行う。
【００４８】
信号切替回路１２０は、モニタモジュール１５０へ送出すべき映像信号の入力元を切替える切替器１２１と、ＲＧＢ出力端子１０２を通じて外部へ送出すべき映像信号の入力元を切替える切替器１２４とを備えている。
【００４９】
切替器１２１には、マザーボード１１０に搭載された映像信号生成回路１１５からの映像信号が入力されるとともに、ＲＧＢ入力端子１０１に外部から入力された映像信号がＲＧＢ分配器１２５及びＡＤコンバータ１２６を介して入力される。切替器１２１は、ＣＰＵ１１１の指示に従って、映像信号の入力元を映像信号生成回路１１５とＡＤコンバータ１２６とから選択し、選択された入力元からの映像信号をＬＶＤＳドライバ１２２へ送出する。例えば、前述のモード１又はモード３が選択された場合、映像信号の入力元として映像信号生成回路１１５を選択し、情報処理装置１００の内部で生成された映像信号に基づく映像をモニタモジュール１５０にて表示する。また、モード２が選択された場合、映像信号の入力元としてＡＤコンバータ１２６を選択し、ＲＧＢ入力端子１０１を通じて外部から入力された映像信号に基づいて映像を表示する。
ＬＶＤＳドライバ１２２は、ＬＶＤＳによる映像信号をモニタモジュール１５０のＬＶＤＳレシーバ１５１へ送出する。モニタモジュール１５０は、ＬＶＤＳレシーバ１５１で受けたＬＶＤＳに基づいて、液晶パネル（不図示）を駆動するための制御信号を生成して液晶パネルを駆動し、映像を表示するようにしている。
【００５０】
切替器１２４には、映像信号生成回路１１５から送出された映像信号がＤＡコンバータ１２３によりアナログＲＧＢ信号に変換されて入力されるとともに、外部からＲＧＢ入力端子１０１に入力された映像信号がＲＧＢ分配器１２５を介して入力される。切替器１２４は、ＣＰＵ１１１の指示に従って、映像信号の入力元をＤＡコンバータ１２３とＲＧＢ分配器１２５とから選択し、選択された入力元からの映像信号をＲＧＢ出力端子１０２を通じて外部へ送出する。例えば、前述のモード１が選択された場合、ＤＡコンバータ１２３を選択し、情報処理装置１００の内部で生成された映像信号を外部へ送出する。また、モード２又はモード３が選択された場合、映像信号の入力元としてＲＧＢ分配器１２５を選択し、外部から入力された映像信号をそのまま外部へ送出する。
【００５１】
なお、本実施の形態においても、複数の情報処理装置１００，１００，…を夫々のＲＧＢ入力端子１０１及びＲＧＢ出力端子１０２を利用して映像信号ケーブル１，１，…で接続することにより、図１に示した如く直列型に接続することが可能であり、また、図２に示した如くリング型に接続することが可能である。また、ＡＤコンバータ１２６の後段に解像度変換回路を接続して表示解像度の変更できるようにしてもよい。
【００５２】
図８は信号切替回路１２０の変形例を示すブロック図である。図７に示した信号切替回路１２０では切替器１２１の後段にＬＶＤＳドライバ１２２を接続してＬＶＤＳを生成するようにしていたが、切替器の前段にＬＶＤＳドライバを接続するようにしてもよい。図８に示した信号切替回路１３０でも２つの切替器１３２，１３４を備え、モニタモジュール１５０へ送出すべき映像信号の入力元に対する切替処理、及びＲＧＢ出力端子１０２を通じて外部へ送出すべき映像信号の入力元に対する切替処理を実行する。
【００５３】
切替器１３２には、マザーボード１１０からの映像信号に基づいてＬＶＤＳドライバ１３１が生成したＬＶＤＳが入力されるとともに、ＲＧＢ入力端子１０１、ＲＧＢ分配器１３５及びＡＤコンバータ１３６を介して入力された映像信号に基づいてＬＶＤＳドライバ１３７が生成したＬＶＤＳが入力される。切替器１３２は、ＣＰＵ１１１の指示に従って、映像信号の入力元について２つのＬＶＤＳドライバ１３１，１３７のうち何れかを選択し、選択された入力元からのＬＶＤＳをモニタモジュール１５０へ送出する。
【００５４】
切替器１３４には、マザーボード１１０から送出された映像信号がＤＡコンバータ１３３を通じてアナログＲＧＢ信号に変換されて入力されるとともに、外部からＲＧＢ入力端子１０１に入力された映像信号がＲＧＢ分配器１３５を介して入力される。切替器１３４は、ＣＰＵ１１１の指示に従って、映像信号の入力元をＤＡコンバータ１３３とＲＧＢ分配器１３５とから選択し、選択された入力元からの映像信号をＲＧＢ出力端子１０２を通じて外部へ送出する。
【００５５】
実施の形態３．
実施の形態２では、情報処理装置１００に対する入出力する映像信号としてアナログＲＧＢ信号を利用したが、入出力用の映像信号としてＴＭＤＳを利用することも可能である。この場合、差動信号を用いているため映像信号ケーブル１により映像信号を伝送する際の信号の劣化が少なく、情報処理装置１００を多数接続したときに信号伝送の点で利点を有する。
【００５６】
図９は本実施の形態に係る情報処理装置の内部構成を説明するブロック図である。情報処理装置２００は、ＴＭＤＳ入力端子２０１、ＴＭＤＳ出力端子２０２、マザーボード２１０、信号切替回路２２０、及びモニタモジュール２５０を備えている。
【００５７】
マザーボード２１０はＣＰＵ２１１を備え、該ＣＰＵ２１１にはバス２１２を介してＲＯＭ２１３、ＲＡＭ２１４、映像信号生成回路２１５が接続されいる。更に、マザーボード２１０には、キーボード、各種スイッチ等からなる操作部２６０、ハードディスクのような内部記憶装置２７０、ＣＤ−ＲＯＭ等の記録媒体に格納された各種のデータを読取るＣＤ−ＲＯＭドライブ等の補助記憶装置２８０が接続されている。
【００５８】
ＣＰＵ２１１は、ＲＯＭ２１３に格納された各種の制御プログラムを読込んで実行することにより前述のハードウェアの制御を行う。また、前記制御プログラムの実行中に生じた各種のデータはＲＡＭ２１４に一時的に記憶される。
映像信号生成回路２１５は、ＣＰＵ２１１の指示に従い映像信号を生成し、信号切替回路２２０へ送出する。また、内部記憶装置２７０に予め記憶されている映像データ、及び補助記憶装置２８０によって読取られた映像データに基づいて、映像信号生成回路２１５が映像信号を生成する形態であってもよい。
操作部２６０では、映像信号の入力元及び送出先に関するモードの選択を受付けるようにしており、ＣＰＵ２１１は、操作部２６０を通じて受付けたモードに応じて信号切替回路２２０の制御を実行する。
【００５９】
信号切替回路２２０は、モニタモジュール２５０へ送出すべき映像信号の入力元を切替える切替器２２１と、ＴＭＤＳ出力端子２０２を通じて外部へ送出すべきＴＭＤＳの入力元を切替える切替器２２４とを備えている。
【００６０】
切替器２２１には、マザーボード２１０に搭載された映像信号生成回路２１５からのＴＭＤＳによる映像信号が入力されるとともに、ＴＭＤＳ入力端子２０１に外部から入力されたＴＭＤＳによる映像信号がＴＭＤＳ分配器２２５及びＴＭＤＳレシーバ２２６を介して入力される。切替器２２１は、ＣＰＵ２１１の指示に従って、映像信号の入力元を映像信号生成回路２１５とＴＭＤＳレシーバ２２６とから選択し、選択された入力元からの映像信号をＬＶＤＳドライバ２２２へ送出する。例えば、前述のモード１又はモード３が選択された場合、映像信号の入力元として映像信号生成回路２１５を選択し、情報処理装置２００の内部で生成された映像信号に基づく映像を表示する。また、モード２が選択された場合、映像信号の入力元としてＴＭＤＳレシーバ２２６を選択し、情報処理装置２００の外部から入力された映像信号に基づいて映像を表示する。
ＬＶＤＳドライバ２２２はＬＶＤＳによる映像信号をモニタモジュール２５０のＬＶＤＳレシーバ２５１へ送出する。モニタモジュール２５０は、ＬＶＤＳレシーバ２５１で受けたＬＶＤＳに基づいて、液晶パネル（不図示）を駆動するための制御信号を生成して液晶パネルを駆動し、映像の表示を行う。
【００６１】
切替器２２４には、映像信号生成回路２１５から送出された映像信号が、ＴＭＤＳドライバ２２３によりＴＭＤＳに変換された後に入力されるとともに、外部からＴＭＤＳ入力端子２０１に入力されたＴＭＤＳがＴＭＤＳ分配器２２５を介して入力される。切替器２２４は、ＣＰＵ２１１の指示に従って、映像信号の入力元をＴＭＤＳドライバ２２３とＴＭＤＳ分配器２２５とから選択し、選択された入力元からの映像信号をＴＭＤＳ出力端子２０２を通じて外部へ送出する。例えば、前述のモード１が選択された場合、ＴＭＤＳドライバ２２３を選択し、情報処理装置２００の内部で生成された映像信号を外部へ送出する。また、モード２又はモード３が選択された場合、映像信号の入力元としてＴＭＤＳ分配器２２５を選択し、外部から入力されたＴＭＤＳによる映像信号をそのまま外部へ送出する。
【００６２】
なお、本実施の形態においても、複数の情報処理装置２００，２００，…を夫々のＴＭＤＳ入力端子２０１及びＴＭＤＳ出力端子２０２を利用して映像信号ケーブル１，１，…で接続することにより、図１に示した如く直列型に接続することが可能であり、また、図２に示した如くリング型に接続することが可能である。また、ＴＭＤＳレシーバ２２６の後段に解像度変換回路を接続して表示解像度の変更できるようにしてもよい。
【００６３】
図１０は信号切替器２２０の変形例を示すブロック図である。図９に示した信号切替器２２０では切替器２２１の後段にＬＶＤＳドライバ２２２を接続してＬＶＤＳを生成するようにしていたが、切替器の前段にＬＶＤＳドライバを接続するようにしてもよい。図１０に示した信号切替器２３０でも２つの切替器２３２，２３４を備え、モニタモジュール２５０へ送出すべき映像信号の入力元に対する切替処理、及びＴＭＤＳ出力端子２０２を通じて外部へ送出すべき映像信号の入力元に対する切替処理を実行する。
【００６４】
切替器２３２には、マザーボード２１０からの映像信号に基づいてＬＶＤＳドライバ２３１が生成したＬＶＤＳが入力されるとともに、ＴＭＤＳ入力端子２０１、ＴＭＤＳ分配器２３５及びＴＭＤＳレシーバ２３６を介して入力された映像信号に基づいてＬＶＤＳドライバ２３７が生成したＬＶＤＳが入力される。切替器２３２は、ＣＰＵ２１１の指示に従って、映像信号の入力元について２つのＬＶＤＳドライバ２３１，２３７のうち何れかを選択し、選択された入力元からのＬＶＤＳをモニタモジュール２５０へ送出する。
【００６５】
切替器２３４には、マザーボード２１０から送出された映像信号がＴＭＤＳレシーバ２３３を通じてＴＭＤＳに変換されて入力されるとともに、外部からＴＭＤＳ入力端子２０１に入力された映像信号がＴＭＤＳ分配器２３５を介して入力される。切替器２３４は、ＣＰＵ２１１の指示に従って、映像信号の入力元をＴＭＤＳレシーバ２３３とＴＭＤＳ分配器２３５とから選択し、選択された入力元からの映像信号をＴＭＤＳ出力端子２０２を通じて外部へ送出する。
【００６６】
実施の形態４．
実施の形態２では、情報処理装置１００に対する映像信号の入出力をアナログＲＧＢ信号で行う形態として説明し、実施の形態３では、情報処理装置２００に対する映像信号の入出力をＴＭＤＳにより行う形態として説明したが、モニタモジュールで使用するＬＶＤＳ信号を映像信号の伝送に利用することも可能である。この場合、差動信号であるＬＶＤＳを映像信号の伝送に用いるため信号の劣化が少なく、また、信号切替器の内部で信号の変換を行う必要がないため、部品数を減らすことができ、コスト面で利点を有する。
【００６７】
図１１は本実施の形態に係る情報処理装置の内部構成を説明するブロック図である。情報処理装置３００は、ＬＶＤＳ入力端子３０１、ＬＶＤＳ出力端子３０２、マザーボード３１０、信号切替回路３２０、及びモニタモジュール３５０を備えている。
【００６８】
マザーボード３１０はＣＰＵ３１１を備え、該ＣＰＵ３１１にはバス３１２を介してＲＯＭ３１３、ＲＡＭ３１４、映像信号生成回路３１５が接続されいる。更に、マザーボード３１０には、キーボード、各種スイッチ等からなる操作部３６０、ハードディスクのような内部記憶装置３７０、ＣＤ−ＲＯＭ等の記録媒体に格納された各種のデータを読取るＣＤ−ＲＯＭドライブ等の補助記憶装置３８０が接続されている。
【００６９】
ＣＰＵ３１１は、ＲＯＭ３１３に格納された各種の制御プログラムを読込んで実行することにより前述のハードウェアの制御を行う。また、前記制御プログラムの実行中に生じた各種のデータはＲＡＭ３１４に一時的に記憶される。
映像信号生成回路３１５は、ＣＰＵ３１１の指示に従い映像信号を生成し、信号切替回路３２０へ送出する。また、内部記憶装置３７０に予め記憶されている映像データ、及び補助記憶装置３８０によって読取られた映像データに基づいて、映像信号生成回路３１５が映像信号を生成する形態であってもよい。
操作部３６０では、映像信号の入力元及び送出先に関するモードの選択を受付けるようにしており、ＣＰＵ３１１は、操作部３６０を通じて受付けたモードに応じて信号切替回路３２０の制御を実行する。
【００７０】
信号切替回路３２０は、モニタモジュール３５０へ送出すべき映像信号の入力元を切替える切替器３２３と、ＬＶＤＳ出力端子３０２を通じて外部へ送出すべきＬＶＤＳの入力元を切替える切替器３２５とを備えている。
【００７１】
切替器３２３には、映像信号生成回路３１５からの映像信号がＬＶＤＳドライバ３２１及びＬＶＤＳ分配器３２２を通じて入力されるとともに、ＬＶＤＳ入力端子３０１に外部から入力されたＬＶＤＳによる映像信号がＬＶＤＳ分配器３２４を通じて入力される。ここで、ＬＶＤＳドライバ３２１では、映像信号生成回路３１５からの映像信号に基づいてＬＶＤＳを生成し、ＬＶＤＳ分配器３２２へ送出するようにしている。切替器３２３は、ＣＰＵ３１１の指示に従って、映像信号の入力元を２つのＬＶＤＳ分配器３２２，３２４のうちから何れかを選択し、選択された入力元からのＬＶＤＳをモニタモジュール３５０のＬＶＤＳレシーバ３５１へ送出する。例えば、前述のモード１又はモード３が選択された場合、映像信号の入力元としてＬＶＤＳ分配器３２２を選択し、情報処理装置３００の内部で生成された映像信号に基づく映像を表示する。また、モード２が選択された場合、映像信号の入力元としてＬＶＤＳ分配器３２４を選択し、情報処理装置３００の外部から入力された映像信号に基づいて映像を表示する。
モニタモジュール３５０は、ＬＶＤＳレシーバ３５１で受けたＬＶＤＳに基づいて、液晶パネル（不図示）を駆動するための制御信号を生成して液晶パネルを駆動し、映像の表示を行う。
【００７２】
切替器３２５には、切替器３２３と同様に、映像信号生成回路３１５からの映像信号がＬＶＤＳドライバ３２１及びＬＶＤＳ分配器３２２を通じて入力されるとともに、ＬＶＤＳ入力端子３０１に外部から入力されたＬＶＤＳによる映像信号がＬＶＤＳ分配器３２４を通じて入力される。切替器３２５は、ＣＰＵ３１１の指示に従って、２つのＬＶＤＳ分配器３２２，３２４のうちから何れかを選択し、選択された入力元からのＬＶＤＳをＬＶＤＳ出力端子３０２を通じて外部へ送出する。例えば、前述のモード１が選択された場合、ＬＶＤＳ分配器３２２を選択し、情報処理装置３００の内部で生成された映像信号を外部へ送出する。また、モード２又はモード３が選択された場合、映像信号の入力元としてＬＶＤＳ分配器３２４を選択し、外部から入力されたＬＶＤＳによる映像信号をそのまま外部へ送出する。
【００７３】
なお、本実施の形態においても、複数の情報処理装置３００，３００，…を夫々のＬＶＤＳ入力端子３０１及びＬＶＤＳ出力端子３０２を利用して映像信号ケーブル１，１，…で接続することにより、図１に示した如く直列型に接続することが可能であり、また、図２に示した如くリング型に接続することが可能である。また、ＬＶＤＳ分配器３２４の後段にＬＶＤＳレシーバ、解像度変換回路、及びＬＶＤＳドライバを接続して表示解像度の変更できるようにしてもよい。
【００７４】
【発明の効果】
以上、詳述したように、第１発明による場合は、表示手段へ送出すべき映像信号の入力元として映像信号生成手段又は映像信号入力端子を選択することができ、また映像信号出力端子を通じて外部へ送出すべき映像信号の入力元として映像信号生成手段又は映像信号入力端子を選択することができる。したがって、一台の表示装置で映像を表示することもでき、外部へ前記映像に係る映像信号を送出できるため、複数の表示装置にて映像信号の共有化が可能となり、会議等における使用性に優れる。また、表示手段で表示する映像信号の入力元を自身の映像信号生成手段又は映像信号入力端子から選択できるため、複数の表示装置を接続している場合、何れの表示装置も映像信号の送出元（ホスト）となることができる。しかも、その選択を変更することで、配線を繋ぎかえることなくホスト役の表示装置を変更することができる。
【００７５】
第２発明による場合は、自身の映像信号生成手段で生成した映像信号に基づいて映像を表示できるとともに、外部から入力された映像信号の中継を行うことができる。したがって、映像信号の中継を途中で中断させることなく、自機の表示装置を利用することができるため、例えば、映像信号の中継を継続しながら、プレゼンテーションの準備を行うことができる。
【００７６】
第３発明による場合は、表示解像度を変更する手段を備えているため、接続した表示装置によって表示解像度が異なる場合であっても、表示解像度を調整して映像を表示することができる。
【００７７】
第４発明による場合は、互いの映像信号入力端子及び映像信号出力端子にて接続して、複数の表示装置間で映像信号を共有するため、表示装置を直列型に接続することもでき、またリング型に接続することもできる。従って、表示装置の配置を自由に設定できるため、会議等における使用性に優れる。
【００７８】
第５発明による場合は、表示装置は表示手段にて表示すべき映像信号の入力元を選択することができ、信号処理装置は外部へ送出すべき映像信号の入力元を選択することができる。したがって、前記信号処理装置が接続された表示装置で映像を表示することもでき、外部へ前記映像に係る映像信号を送出できるため、複数の表示装置にて映像信号の共有化が可能となり、会議等における使用性に優れる。また、表示手段で表示する映像信号の入力元を自身の映像信号生成手段又は映像信号入力端子から選択できるため、複数の表示装置を接続している場合、何れの表示装置も映像信号の送出元（ホスト）となることができる。しかも、その選択を変更することで、配線を繋ぎかえることなくホスト役の表示装置を変更することができる。
【００７９】
第６発明にあっては、自身の映像信号生成手段で生成した映像信号に基づいて映像を表示できるとともに、外部から入力された映像信号の中継を行うことができる。したがって、映像信号の中継を途中で中断させることなく、自機の表示装置を利用することができるため、例えば、映像信号の中継を継続しながら、プレゼンテーションの準備を行うことができる。
【００８０】
第７発明による場合は、表示解像度を変更する手段を備えているため、接続した表示装置によって表示解像度が異なる場合であっても、表示解像度を調整して映像を表示することができる。
【００８１】
第８発明による場合は、信号処理装置がＰＣＭＣＩＡカード又はＰＣＩボードであるため、表示装置側にＰＣＭＣＩＡカード用のスロット又はＰＣＩボード用のスロットを設けることによって、複数の表示装置を直列型又はリング型に容易に接続することができる。特にＰＣＭＣＩＡカード用のスロットを備えていることが多いノート型のパーソナルコンピュータを用いた場合、本表示システムとしての適用が容易である。
【００８２】
第９発明による場合は、表示装置へ接続することができ、映像信号出力端子から出力すべき映像信号を、表示装置から入力された映像信号と映像信号入力端子に入力された外部からの映像信号とから選択することができる。したがって、信号処理装置を表示装置に接続した場合、複数の表示装置で映像信号を共有する表示システムにて利用可能となる等、本発明は優れた効果を奏する。
【図面の簡単な説明】
【図１】本発明に係る表示システムの構成を説明する模式図である。
【図２】本表示システムにおける情報処理装置の他の接続例を示す模式図である。
【図３】映像信号の入出力に関する３つのモードを説明する模式図である。
【図４】情報処理装置及び該情報処理装置に接続されるＰＣＭＣＩＡカードの内部構成を示すブロック図である。
【図５】ＰＣＭＣＩＡカードの変形例を示すブロック図である。
【図６】情報処理装置及びＰＣＭＣＩＡカードの外観斜視図である。
【図７】本実施の形態に係る情報処理装置の内部構成を説明するブロック図である。
【図８】信号切替器の変形例を示すブロック図である。
【図９】本実施の形態に係る情報処理装置の内部構成を説明するブロック図である。
【図１０】信号切替器の変形例を示すブロック図である。
【図１１】本実施の形態に係る情報処理装置の内部構成を説明するブロック図である。
【符号の説明】
１０，１００，２００，３００　情報処理装置
２０，３０　ＰＣＭＣＩＡカード
２１　ＰＣＭＣＩＡバス端子
２２　映像信号処理回路
２４　切替器
２５　アナログＲＧＢ出力端子
２６　アナログＲＧＢ入力端子
２７　ＲＧＢ分配器
１１０，２１０，３１０　マザーボード
１１１，２１１，３１１　ＣＰＵ
１１２，２１２，３１２　映像信号生成回路
１２０，２２０，３２０　信号切替回路
１５０，２５０，３５０　モニタモジュール
１６０，２６０，３６０　操作部
【図１】
2004078044.tif 000003
【図２】
2004078044.tif 000004
【図３】
2004078044.tif 000005
【図４】
2004078044.tif 000006
【図５】
2004078044.tif 000007
【図６】
2004078044.tif 000008
【図７】
2004078044.tif 000009
【図８】
2004078044.tif 000010
【図９】
2004078044.tif 000011
【図１０】
2004078044.tif 000012
【図１１】
2004078044.tif 000013
【手続補正書】
【提出日】平成14年8月22日(2002.8.22)
【手続補正１】
【補正対象書類名】明細書
【補正対象項目名】００６３
【補正方法】変更
【補正の内容】
【００６３】
図１０は信号切替回路２２０の変形例を示すブロック図である。図９に示した信号切替回路２２０では切替器２２１の後段にＬＶＤＳドライバ２２２を接続してＬＶＤＳを生成するようにしていたが、切替器の前段にＬＶＤＳドライバを接続するようにしてもよい。図１０に示した信号切替回路２３０でも２つの切替器２３２，２３４を備え、モニタモジュール２５０へ送出すべき映像信号の入力元に対する切替処理、及びＴＭＤＳ出力端子２０２を通じて外部へ送出すべき映像信号の入力元に対する切替処理を実行する。


【手続補正２】
【補正対象書類名】明細書
【補正対象項目名】００６６
【補正方法】変更
【補正の内容】
【００６６】
実施の形態４．
実施の形態２では、情報処理装置１００に対する映像信号の入出力をアナログＲＧＢ信号で行う形態として説明し、実施の形態３では、情報処理装置２００に対する映像信号の入出力をＴＭＤＳにより行う形態として説明したが、モニタモジュールで使用するＬＶＤＳ信号を映像信号の伝送に利用することも可能である。この場合、差動信号であるＬＶＤＳを映像信号の伝送に用いるため信号の劣化が少なく、また、信号切替回路の内部で信号の変換を行う必要がないため、部品数を減らすことができ、コスト面で利点を有する。


【手続補正３】
【補正対象書類名】明細書
【補正対象項目名】図面の簡単な説明
【補正方法】変更
【補正の内容】
【図面の簡単な説明】
【図１】本発明に係る表示システムの構成を説明する模式図である。
【図２】本表示システムにおける情報処理装置の他の接続例を示す模式図である。
【図３】映像信号の入出力に関する３つのモードを説明する模式図である。
【図４】情報処理装置及び該情報処理装置に接続されるＰＣＭＣＩＡカードの内部構成を示すブロック図である。
【図５】ＰＣＭＣＩＡカードの変形例を示すブロック図である。
【図６】情報処理装置及びＰＣＭＣＩＡカードの外観斜視図である。
【図７】本実施の形態に係る情報処理装置の内部構成を説明するブロック図である。
【図８】信号切替回路の変形例を示すブロック図である。
【図９】本実施の形態に係る情報処理装置の内部構成を説明するブロック図である。
【図１０】信号切替回路の変形例を示すブロック図である。
【図１１】本実施の形態に係る情報処理装置の内部構成を説明するブロック図である。
【符号の説明】
１０，１００，２００，３００　情報処理装置
２０，３０　ＰＣＭＣＩＡカード
２１　ＰＣＭＣＩＡバス端子
２２　映像信号処理回路
２４　切替器
２５　アナログＲＧＢ出力端子
２６　アナログＲＧＢ入力端子
２７　ＲＧＢ分配器
１１０，２１０，３１０　マザーボード
１１１，２１１，３１１　ＣＰＵ
１１２，２１２，３１２　映像信号生成回路
１２０，２２０，３２０　信号切替回路
１５０，２５０，３５０　モニタモジュール
１６０，２６０，３６０　操作部